(57)【要約】【課題】RAWファイルの再生表示を行う際には、再生の都度に表示用JpegデータやRAWデータのトリミング処理や重畳を行わなければならず、再生処理に時間がかかることが問題であった。また、RAWファイルの印刷を行う際にはRAWデータから現像とトリミング処理をおこなう必要があったため、撮像装置に現像機能を搭載する必要があり、処理が煩雑であった。【解決手段】RAWファイルを記録媒体に印刷をする際には、前記第二の画像データを前記撮影アスペクトに基づいてトリミング処理によって作成された第四の画像データを用い、表示装置に表示する場合は前記第三の画像データを用いることを特徴とする。【選択図】図３
2016082276.tif 000002
【特許請求の範囲】
【請求項１】
撮影する画像データの撮影アスペクトを取得する撮影アスペクト取得手段と、
撮像装置より第一の画像データを取得する第一の画像データ取得手段と、
前記、第一の画像データより第二の画像データを作成する第二の画像データ取得手段と、
前記、第二の画像データよりも解像度が低く、前記撮影アスペクト取得手段に基づいてトリミング処理された第三の再生用画像データ生成する第三の再生用画像データ生成手段と、
前記第一の画像データ、前記第二の画像データ、前記第三の再生用画像データと撮影アスペクトを含む撮影情報とともにRAWファイルとして記録するRAWファイル記録手段とをもつ撮像装置において、
前記RAWファイルを記録媒体に印刷をする際には、
前記第二の画像データを前記撮影アスペクトに基づいてトリミング処理によって作成された第四の画像データを用い、
表示装置に表示する場合は、
前記第三の画像データを用いることを特徴とする撮像装置。
【請求項２】
前記第二の画像データ手段は、前記第一の画像データを不可逆圧縮することを特徴とする請求項１に記載の撮像装置。
【請求項３】
前記第三の再生用画像データ手段は、前記第一の画像データを不可逆圧縮することを特徴とする請求項１に記載の撮像装置。
【発明の詳細な説明】
【技術分野】
【０００１】
本発明は、撮像装置及びその制御方法に関し、特に表示装置並びに印刷処理装置に対し画像データを転送する機能を有する撮像装置及びその制御方法に関する。
【背景技術】
【０００２】
従来、ユーザが撮影時に設定した撮影時アスペクト比で画像を記録できないRAWファイルを記録するRAW撮影の場合、画像データのメタデータに撮影時アスペクト比を付加し、表示や印刷する場合において、前記のアスペクトを再現するために、主に２種類の方法のいずれかが用いられていた。
【０００３】
１つは、撮影時アスペクト比をもとにRAWデータから現像処理とトリミング処理等の画像処理をおこなって新たな画像データを生成する方法であり、もう一つは、RAWデータの現像処理をおこなって作成された表示用JpegデータをRAWファイルに撮影時に埋め込んでおき、再生時にトリミング処理等の画像処理をおこなって新たな画像データを生成する方法がとられてきた。
【０００４】
特許文献１で提案されているスライドショー付きカメラは、表示すべき画像データのアスペクト比とメタデータの撮影時アスペクトが異なる場合に、通常の再生表示時には、撮影時のアスペクトを示す線を重畳した画像データの生成をおこない、スライドショー時には画像データを撮影時のアスペクトになるように画像データの生成を行っている。
【先行技術文献】
【特許文献】
【０００５】
【特許文献１】特開２０１２−２３４７２号公報
【発明の概要】
【発明が解決しようとする課題】
【０００６】
しかしながら、従来技術では、RAWファイルの再生表示を行う際には、再生の都度に表示用JpegデータやRAWデータのトリミング処理や重畳を行わなければならず、再生処理に時間がかかることが問題であった。
【０００７】
また、RAWファイルの印刷を行う際にはRAWデータから現像とトリミング処理をおこなう必要があったため、撮像装置に現像機能を搭載する必要があり、処理が煩雑であった。
【課題を解決するための手段】
【０００８】
本発明は、
撮影する画像データの撮影アスペクトを取得する撮影アスペクト取得手段と、
撮像装置より第一の画像データを取得する第一の画像データ取得手段と、
前記第一の画像データより第二の画像データを作成する第二の画像データ取得手段と、
前記第二の画像データよりも解像度が低く、前記撮影アスペクト取得手段に基づいてトリミング処理された第三の再生用画像データ生成する第三の再生用画像データ生成手段と、
前記第一の画像データ、前記第二の画像データ、前記第三の再生用画像データと撮影アスペクトを含む撮影情報とともにRAWファイルとして記録するRAWファイル記録手段とをもつ撮像装置において、
前記RAWファイルを記録媒体に印刷をする際には、前記第二の画像データを前記撮影アスペクトに基づいてトリミング処理によって作成された第四の画像データを用い、
表示装置に表示する場合は前記第三の画像データを用いることを特徴とする。
【発明の効果】
【０００９】
本発明によれば、撮影する画像データの撮影アスペクトを取得する撮影アスペクト取得手段と、撮像装置より第一の画像データを取得する第一の画像データ取得手段と、前記第一の画像データより第二の画像データを作成する第二の画像データ取得手段と、前記第二の画像データよりも解像度が低く、前記撮影アスペクト取得手段に基づいてトリミング処理された第三の再生用画像データ生成する第三の再生用画像データ生成手段と、前記第一の画像データ、前記第二の画像データ、前記第三の再生用画像データと撮影アスペクトを含む撮影情報とともにRAWファイルとして記録するRAWファイル記録手段とをもつ撮像装置において、印刷用にRAWファイル内の画像データを取得する際には、ファイル内に格納されている表示用Jpegデータをトリミングし、さらにExif情報も付加して印刷用データとするため、解像度が高く、Eixfプリントが可能なJpegデータを送付することができる。
【００１０】
また、RAWファイル内の画像データを取得する際に、表示向けなどの解像度が必要ない場合においては、RAWファイル内に格納された低解像度のJpegデータを用いることにより、記録媒体から読み出すデータ量を削減することが可能となる。
【図面の簡単な説明】
【００１１】
【図１】撮像装置の外観を示す図である。
【図２】撮像装置の構成を示す図である。
【図３】RAWファイルの記録動作を示すフローチャートである。
【図４】RAWファイルの再生・印刷のための画像データ取得をしめすフロ−チャートである。
【図５】記録設定に関する図である。
【図６】RAWファイルの構成を示す図である。
【発明を実施するための形態】
【００１２】
以下、図面を参照して本発明の好適な実施形態を説明する。
【００１３】
［実施例］
図１に本発明の撮像装置の一例としてのデジタルカメラの外観図を示す。表示部２８は画像や各種情報を表示する表示部である。シャッターボタン６１は撮影指示を行うための操作部である。モード切替スイッチ６０は各種モードを切り替えるための操作部である。コネクタ１１２は、パーソナルコンピュータやプリンタなどの外部機器と接続するための接続ケーブル１１１とデジタルカメラ１００とのコネクタである。
【００１４】
操作部７０はユーザーからの各種操作を受け付ける各種スイッチ、ボタン、上下左右キー、タッチパネル等の操作部材より成る操作部である。コントローラーホイール７３は操作部７０に含まれる回転操作可能な操作部材である。設定ボタン７４は捜査部７０に含まれる、カメラの撮影設定などを行うための設定画面に遷移するボタンである。電源スイッチ７２は、電源オン、電源オフを切り替えるための押しボタンである。記録媒体は２００はメモリカードやハードディスク等の記録媒体である。記録媒体スロット２０１は記録媒体２００を格納するためのスロットである。
【００１５】
記録媒体スロット２０１に格納された記録媒体２００は、デジタルカメラ１００との通信が可能となり、記録や再生が可能となる。蓋２０３は記録媒体スロット２０１の蓋である。図においては、蓋２０２を開けてスロット２０１から記録媒体２００の一部を取り出して露出させた状態を示している。
【００１６】
図２は本実施形態によるデジタルカメラ１００の構成例を示すブロック図である。図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１７】
バリア１０２は、デジタルカメラ１００の、撮影レンズ１０３を含む撮像系を覆うことにより、撮影レンズ１０３、シャッター１０１、撮像部２２を含む撮像系の汚れや破損を防止する。画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。
【００１８】
これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。Ａ／Ｄ変換器２３からの出力データは、画像処理部２４及びメモリ制御部１５を介して、或いは、メモリ制御部１５を介してメモリ３２に直接書き込まれる。
【００１９】
メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。
【００２０】
表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。
【００２１】
ここでいう、プログラムとは、本実施形態にて後述する各種フローチャートを実行するためのコンピュータプログラムのことである。システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２２】
システムタイマー５３は各種制御に用いる時間や、内蔵された時計の時間を計測する計時部である。モード切替スイッチ６０、シャッターボタン６１、操作部７０はシステム制御部５０に各種の動作指示を入力するための操作手段である。
【００２３】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切替スイッチ６０で、メニューボタンに含まれるこれらのモードのいずれかに直接切り替えられる。
【００２４】
あるいは、モード切替スイッチ６０でメニューボタンに一旦切り換えた後に、メニューボタンに含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。
【００２５】
第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２６】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２７】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。
【００２８】
例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００２９】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。
【００３０】
記録媒体２００は、撮影された画像を記録するためのメモリカード等の記録媒体であり、半導体メモリや光ディスク、磁気ディスク等から構成される。通信部５４は、無線または有線ケーブルによって接続し、映像信号や音声信号等の送受信を行う。通信部５４は無線ＬＡＮ（Local Area Network）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００３１】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。
【００３２】
以下、図１〜図６を参照して、本発明の各実施例の動作を説明する。
【００３３】
＜実施例＞
図３は実施例におけるRAWファイル記録処理のフローチャートである。このフローチャートにおける各処理は、図２のシステム制御部５０が不揮発性メモリ５６に格納されたプログラムを元に実行されることにより実現される。ステップＳ３０１では、操作部７４が押されているかシステム制御部５０が確認をおこなう。押されていればステップＳ３０２へ進み、撮影アスペクト設定をおこなう。
【００３４】
この時の表示部２８に表示される画面を示したのが図５の(a)であり、デジタルカメラ１００で撮影可能なアスペクト４０１〜４０５が表示されている。操作部７０の上下キーを押下してカーソル４０６を操作し、所望の撮影アスペクトの個所で操作部７０のSETボタンを押下することにより、撮影アスペクトの設定が可能となる。本実施例は、撮影アスペクトとして４０４の１：１が設定されたものとする。ステップＳ３０２でＳＥＴボタンを押下するとステップＳ３０３へ進む。
【００３５】
その時に表示部２８に表示される画面を示したのが図５の（ｂ）であり、撮影時に,RAWファイルに加えて、Jpeg画像ファイルの保存を記録媒体２００におこなうか否かの設定が可能である。ここで、Jpeg画像ファイルはステップＳ３０１で設定したアスペクトで記録され、RAWファイルは撮像部２２のＣＣＤやＣＭＯＳ素子等の有効画素数とアスペクトで記録される。
【００３６】
設定可能な記録設定は図５の(b),(c)に示してあるように、RAWファイルのみを保存する４１１「RAW」、RAWファイルに加えてJpegファイルを解像度Ｌ（横：6000x縦4000ピクセル）で行う「RAW+L」４１２、解像度M1（2048x2048）で行う「RAW+M1」４１３、解像度M2（1080x1080）で行う「RAW+M2」４１４、解像度Ｌ（480x480）で行う「RAW+S」４１５が存在する。本実施例ではRAWのみが選択されたものとする。
【００３７】
ステップＳ３０４では、第一シャッターボタン６２がＯＮになっているかシステム制御部５０が確認をおこなう。ＯＮになっていればステップＳ３０５に進み、そうでなければステップＳ３０１へと戻る。ステップＳ３０５では、デジタルカメラ１００に設定されているフォーカスモードや露出モードに応じた合焦・露出処理をシステム制御部５０が行う。ステップＳ３０６において、第二シャッターボタン６４が押下されたかシステム制御部５０が確認する。押されていなければ、ステップ３０４に戻り、押されていればステップＳ３０７へと進む。
【００３８】
ステップＳ３０７において、撮像部２２の出力を元にRAWデータの生成をメモリ３２に行う。RAWデータの画素数は図５の(c)より、横6000ピクセル、縦4000ピクセルである。ここで、図６の(a)〜(b)を参照してRAWファイルの構造について説明を行う。RAWファイルには、図６の(a)に示してあるように、RAWデータ６０１、表示用Jpegデータ６０２、表示用Crop Jpegデータ６０３の画像データが格納される。表示用Jpegデータ６０２は,RAWデータを現像したものをJpegに圧縮したデータであり、このデータを用いることでRAWデータの現像処理をすることなく撮影画像の確認が可能となる。
【００３９】
表示用Crop Jpegデータは、表示部の解像度を超える必要最低限の解像度で保存されたJpegデータでありモード切替スイッチ６０を再生モードし、記録媒体２００に記録されたRAW画像ファイルを閲覧する際に使用する。また、RAWファイルには、図６の(b)の６０４に示してあるように、撮影時アスペクト情報等の各種設定情報を格納したメタデータも同時に記録される。ここでは、Exif形式のメタデータを用いるものとする。ステップＳ３０８では、前述したRAWファイルに記録するExifデータ６０４の生成を行いメモリ３２に格納する。
【００４０】
ステップＳ３０９では、後述する、撮影後レビュー画像表示のためのデータ、RAWファイルに記録される表示用Ｊｐｅｇデータ６０２、表示用Cropデータ６０３、の元となる、画素数が横6000ピクセル、縦4000ピクセルのYCbCr形式の画像データをRAWデータから画像処理部２４にて現像処理を行いメモリ３２に生成する。ステップＳ３１０では、ステップＳ３０９で作成したYCbCr形式のデータを画像処理部２４に投入し、表示部２８の解像度、又はいわいるFullHDサイズに内接するように合わせて縮小または拡大処理をおこなう。
【００４１】
縮小または拡大処理をおこなったYCbCr形式のデータはメモリ３２内に再び配置され、メモリ制御部１５、システム制御部５０によって表示部２８に表示される。ステップＳ３１１では、ステップＳ３１０と同様に、YCbCr形式のデータから表示用Jpegデータ６０２の生成を画像処理部２４にてJpeg形式への圧縮処理を行いメモリ３２に格納する。ステップＳ３１２では、ステップＳ３１０と同様にたYCbCr形式のデータから表示用Cropデータタ６０３の生成を画像処理部２４にて、横1620ピクセル、縦1080ピクセルへのリサイズし、さらに横1080ピクセル、縦1080へのトリミング処理の後、Jpeg形式への圧縮処理を行いメモリ３２に格納する。
【００４２】
ステップＳ３１３では、ステップＳ３０７〜３０８、ステップＳ３１１〜３１３にて作成した、RAWファイルタ６０１・Exifデータ６０４・表示用Jpegデータ６０２・表示用Cropデータ６０３をRAW形式ファイル６０５にし、続くステップＳ３１４にてシステム制御部５０が記録媒体２００に記録をおこなう。ステップＳ３１５では、ステップＳ３０３にてＪｐｅｇを同時に記録する設定がなされたか確認をシステム制御部５０がおこない、なされていた場合は、ステップＳ３１６へ、そうでない場合は処理を終える。
【００４３】
ステップＳ３１６では、ステップＳ３０３の設定に従い、ステップＳ３０９で作成したYCbCr形式のデータを用いて同時記録用Jpegデータ６１０の生成をおこなう。ステップＳ３１７では、同時記録用Jpegデータの記録を、システム制御部５０が記録媒体２００に記録をおこなう。
【００４４】
以上により、RAWファイル605の記録が行え、設定によってはJpegデータの記録も同時に行える。つづいて、図４をもちいて先ほど説明したRAWファイルを再生表示、ならびに印刷処理を行う際の画像データの取得シーケンスについて説明をおこなう。図４は表示部２８にRAWデータの表示をおこなったり、接続ケーブル１１１で接続されたプリンタにRAWファイルの画像データを印刷物として出力をおこなったりする際に実行あれるシーケンス図である。なお、このフローチャートにおける各処理は、図２のシステム制御部５０が不揮発性メモリ５６に格納されたプログラムを元に実行されることにより実現される。
【００４５】
ステップＳ４０１では、画像データ取得の目的が印刷用であるか否かの確認をシステム制御部５０が判断をおこなう。印刷用であればステップＳ４０２へ進み、そうでなければステップＳ４１１へと進む。ステップＳ４１１では、印刷用でない画像データの取得のため再生用途であるので、解像度が低く読み出しに時間のかからない表示用Cropデータを画像データの取得とする。ステップＳ４０２では、RAWファイルに対応する同時記録用Jpegファイルが解像度Lで保存されているか否かの確認をシステム制御部５０が判断をおこなう。解像度がLであればステップＳ４１０へと進み、そうでなければステップＳ４０３へと進む。
【００４６】
一般的にプリンタから出力される印刷物はＬＣＤに比べて解像度が高いため、解像度が高いJpegファイルを転送する必要がある。そのため、ここでは同時記録用Jpegファイル６１０が解像度Ｌである場合のみ、そのファイルを使用し、そうでなければRAWファイルに格納されている表示用Jpeg６０２から作成をおこなう。ステップＳ４１０では、同時記録用Jpegファイル６１０を印刷Jpegファイルとして処理を終える。ステップＳ４０３では、撮影時のアスペクトの取得をRAWファイルに格納されているExif情報６０４からおこなう。
【００４７】
続く、ステップＳ４０４では、RAWファイルに格納されている表示用Jpegデータ６０２のアスペクトの取得を行い、先ほど取得した撮影時のアスペクトとの比較をおこなう。アスペクトが一致していれば、ステップＳ４０８へ進み、そうでなければステップＳ４０５へと進む。ステップＳ４０８では、表示用Jpegデータ６０２に対して、RAWファイルに格納されているExif情報６０４を付加し印刷用Jpegファイル６２０の作成をおこなう。この際、Exif情報は、印刷用Jpegデータと整合性が取れるように適宜編集をおこなう。
【００４８】
ステップＳ４０５では、RAWファイル６０５に格納されている表示用Jpegデータ６０２を画像処理部２４によって伸長してYCbCr形式でメモリ３２に格納する。このときの画素数は、横6000、縦4000ピクセルとなる。ステップＳ４０６では、メモリ３２に格納されたYCbCr形式の画像データを画像処理部２４によって、ステップＳ４０３で取得した撮影時アスペクトになるように、横4000、縦4000ピクセルとなるようにトリミング処理を行う。ステップＳ４０７では、ステップＳ４０６でトリミング処理されたYCbCr形式の画像データを、再び画像処理部２４によってJpeg形式で圧縮しメモリ３２に格納する。
【００４９】
ステップＳ４０８では、ステップＳ４０７で圧縮されたJpeg形式に対して、RAWファイルに格納されているExif情報６０４を付加し印刷用Jpegファイル６２０の作成をおこなう。
【００５０】
以上により、印刷用にRAWファイル内の画像データを取得する際には、ファイル内に格納されている表示用Jpegデータをトリミングし、さらにExif情報も付加して印刷用データとするため、解像度が高く、Eixfプリントが可能なJpegデータを送付することができる。また、RAWファイル内の画像データを取得する際に、表示向けなどの解像度が必要ない場合においては、RAWファイル内に格納された低解像度のJpegデータを用いることにより、記録媒体から読み出すデータ量を削減することが可能となる。
【符号の説明】
【００５１】
２８  表示部、６１  シャッターボタン、６０  モード切替スイッチ、７０  操作部、
１００  デジタルカメラ、１１１  接続ケーブル、１１２  コネクタ
【図３】
2016082276.tif 000003
【図４】
2016082276.tif 000004
【図１】
2016082276.tif 000005
【図２】
2016082276.tif 000006
【図５】
2016082276.tif 000007
【図６】
2016082276.tif 000008